(57)【要約】【課題】給湯温度の安定性を確保するとともに沸き上げ効率の悪化を抑制することのできる貯湯式給湯機を提供する。【解決手段】貯湯タンク８の湯水と給湯水とを熱交換させるための給湯用熱交換器５２と、貯湯タンク８の上部から給湯用熱交換器５２を経由して貯湯タンク８の下部へ導く給湯熱源管路４６と、給湯水を給湯用熱交換器５２を経由して給湯端末へ導く給水管路９と、給湯熱源管路４６の湯水を循環させる給湯熱源ポンプ４８と、制御部３６と、を備える。制御部３６は、給水側流量Ｆｋが流量閾値以上である場合には熱源側流量Ｆｌが給水側流量Ｆｋ以上となるように給湯熱源ポンプ４８の出力を制御し、給水側流量Ｆｋが流量閾値より小さい場合には熱源側流量Ｆｌが給水側流量Ｆｋ未満となるように給湯熱源ポンプ４８の出力を制御する。【選択図】図４
2015227757.tif 000002
【特許請求の範囲】
【請求項１】
湯水を貯留させる貯湯タンクと、
前記貯湯タンクに貯留される湯水を加熱する加熱手段と、
前記貯湯タンクの上部から供給される湯水と給湯水とを熱交換させるための給湯用熱交換器と、
前記給湯水を前記給湯用熱交換器を経由して給湯端末へ導く給水管路と、
前記貯湯タンクの上部から前記給湯用熱交換器を経由して前記貯湯タンクの下部へ導く給湯熱源管路と、
前記給湯熱源管路の湯水を循環させる給湯熱源ポンプと、
前記給水管路を流れる前記給湯水の流量である給水側流量を検知する給湯流量センサと、
前記給湯端末への給湯が行われる給湯運転において前記給湯熱源ポンプの出力を制御する制御部と、を備え、
前記制御部は、前記給水側流量が流量閾値以上である場合には前記給湯熱源管路を流れる湯水の流量である熱源側流量が前記給水側流量以上となるように前記給湯熱源ポンプの出力を制御し、前記給水側流量が前記流量閾値より小さい場合には前記熱源側流量が前記給水側流量より小さくなるように前記給湯熱源ポンプの出力を制御する貯湯式給湯機。
【請求項２】
前記制御部は、前記熱源側流量が前記給水側流量と同量であり且つ前記給湯用熱交換器から前記給水管路へ導出された前記給湯水の温度が目標温度である場合の前記給水側流量の値を前記流量閾値として設定するように構成されて成る請求項１に記載の貯湯式給湯機。
【請求項３】
前記制御部は、
前記給水側流量に基づいて、前記熱源側流量の目標流量を設定する設定手段と、
前記熱源側流量が前記目標流量となるように前記給湯熱源ポンプの出力を制御するポンプ制御手段と、
を含む請求項１又は請求項２に記載の貯湯式給湯機。
【請求項４】
前記熱源側流量を検知する給湯熱源流量センサを更に備え、
前記ポンプ制御手段は、前記給湯熱源流量センサにより検知された前記熱源側流量が前記目標流量となるように、前記給湯熱源ポンプの出力にフィードバック制御を施すように構成されて成る請求項３に記載の貯湯式給湯機。
【請求項５】
前記制御部は、前記給水側流量の最大流量を前記流量閾値として設定するよう構成されて成る請求項１、請求項３及び請求項４の何れか１項に記載の貯湯式給湯機。
【請求項６】
前記給水管路から前記給湯用熱交換器へ導入される前記給湯水の温度である給水温度を検知する給水温度センサを備え、
前記制御部は、前記給水温度が温度閾値以上である場合には前記熱源側流量が前記給水側流量より小さくなるように前記給湯熱源ポンプの出力を制御し、前記給水温度が前記温度閾値より小さい場合には前記熱源側流量が前記給水側流量以上になるように前記給湯熱源ポンプの出力を制御する請求項１から請求項５の何れか１項に記載の貯湯式給湯機。
【請求項７】
前記制御部は、前記熱源側流量が前記給水側流量と同量であり且つ前記給湯用熱交換器から前記給水管路へ導出された前記給湯水の温度が目標温度である場合の前記給水温度の値を前記温度閾値として設定するように構成されて成る請求項６に記載の貯湯式給湯機。
【請求項８】
湯水を貯留させる貯湯タンクと、
前記貯湯タンクに貯留される湯水を加熱する加熱手段と、
前記貯湯タンクの上部から供給される湯水と給湯水とを熱交換させるための給湯用熱交換器と、
前記給湯水を前記給湯用熱交換器を経由して給湯端末へ導く給水管路と、
前記貯湯タンクの上部から前記給湯用熱交換器を経由して前記貯湯タンクの下部へ導く給湯熱源管路と、
前記給湯熱源管路の湯水を循環させる給湯熱源ポンプと、
前記給水管路を流れる前記給湯水の流量である給水側流量を検知する給湯流量センサと、
前記給水管路から前記給湯用熱交換器へ導入される前記給湯水の温度である給水温度を検知する給水温度センサと、
前記給湯端末への給湯が行われる給湯運転において前記給湯熱源ポンプの出力を制御する制御部と、を備え、
前記制御部は、前記給水温度が温度閾値以上である場合には、前記給湯熱源管路を流れる湯水の流量である熱源側流量が前記給水管路を流れる前記給湯水の流量である給水側流量より小さくなるように前記給湯熱源ポンプの出力を制御し、前記給水温度が前記温度閾値より小さい場合には、前記熱源側流量が前記給水側流量以上になるように前記給湯熱源ポンプの出力を制御する貯湯式給湯機。
【請求項９】
前記制御部は、前記熱源側流量が前記給水側流量と同量であり且つ前記給湯用熱交換器から前記給水管路へ導出された前記給湯水の温度が目標温度である場合の前記給水温度の値を前記温度閾値として設定するように構成されて成る請求項８に記載の貯湯式給湯機。
【発明の詳細な説明】
【技術分野】
【０００１】
本発明は、貯湯タンクに貯留された湯を熱源として給水を加熱して給湯する貯湯式給湯機に関する。
【背景技術】
【０００２】
従来から、貯湯タンクの上部から供給される湯水と給湯水とを熱交換器によって熱交換させるいわゆる間接給湯式の給湯機が知られている。特許文献１には、このような間接給湯式の給湯機の構成が開示されている。また、特許文献１に記載された給湯機では、熱交換器から流出する給湯側の湯の流量に応じてポンプの駆動力が制御され、熱源側の流体の循環流量が増減される。
【先行技術文献】
【特許文献】
【０００３】
【特許文献１】特開平５-９９５０７号公報
【発明の概要】
【発明が解決しようとする課題】
【０００４】
ところで、上記特許文献１の間接給湯式の給湯機においては、熱交換器の給水側を流れる給湯水の流量（以下、給水側流量）に応じて熱交換器の熱源側を流れる湯水の流量（以下、熱源側流量）が制御される。このような制御としては、例えば、給水側流量と熱源側流量との比率を一定（例えば給水側流量と熱源側流量とを同量）に制御することが考えられる。しかしながら、給水側流量が増えると熱源側から給湯側へ熱交換されずに熱交換器を通過してしまう熱量が増える。このため、熱交換器から導出される給湯水の温度は、給水側流量が増えるほど低下することとなり、また、反対に熱交換器から導出される熱源側の湯水の温度は上昇することとなる。さらに、熱交換器の給湯側から導出される給湯水の温度は、熱交換器における熱交換量だけでなく、熱交換器の給水側へ導入される市水の温度の影響も受ける。このため、これらの熱量が考慮されていない上記従来の技術では、安定した給湯温度を実現することができないおそれがあり、また貯湯タンクに戻る湯の温度が高くなることによる沸き上げ効率の低下も問題となるおそれがある。
【０００５】
本発明は、上述のような課題を解決するためになされたもので、給湯温度の安定性を確保するとともに沸き上げ効率の悪化を抑制することのできる貯湯式給湯機を提供することを目的とする。
【課題を解決するための手段】
【０００６】
本発明に係る貯湯式給湯機は、湯水を貯留させる貯湯タンクと、貯湯タンクに貯留される湯水を加熱する加熱手段と、貯湯タンクの上部から供給される湯水と給湯水とを熱交換させるための給湯用熱交換器と、給湯水を給湯用熱交換器を経由して給湯端末へ導く給水管路と、貯湯タンクの上部から給湯用熱交換器を経由して貯湯タンクの下部へ導く給湯熱源管路と、給湯熱源管路の湯水を循環させる給湯熱源ポンプと、給水管路を流れる給湯水の流量である給水側流量を検知する給湯流量センサと、給湯端末への給湯が行われる給湯運転において給湯熱源ポンプの出力を制御する制御部と、を備え、制御部は、給水側流量が流量閾値以上である場合には給湯熱源管路を流れる湯水の流量である熱源側流量が給水側流量以上となるように給湯熱源ポンプの出力を制御し、給水側流量が流量閾値より小さい場合には熱源側流量が給水側流量より小さくなるように給湯熱源ポンプの出力を制御するものである。
【発明の効果】
【０００７】
本発明の貯湯式給湯機によれば、給湯温度の安定性を確保するとともに沸き上げ効率の悪化を抑制することのできる貯湯式給湯機を提供することが可能となる。
【図面の簡単な説明】
【０００８】
【図１】本発明の実施の形態１の貯湯式給湯機を示す構成図である。
【図２】本発明の実施の形態１に係る貯湯式給湯機の沸き上げ運転時の回路構成図である。
【図３】本発明の実施の形態１に係る貯湯式給湯機の給湯運転時の回路構成図である。
【図４】給水側流量Ｆｋに対する熱源側流量Ｆｌの変化及び給湯温度の変化を示す図である。
【図５】給水温度Ｔｉに対する熱源側流量Ｆｌの変化及び給湯温度の変化を示す図である。
【発明を実施するための形態】
【０００９】
以下、図面を参照して本発明の実施の形態について説明する。なお、各図において共通する要素には、同一の符号を付して、重複する説明を省略する。
【００１０】
実施の形態１．
図１は、本発明の実施の形態１の貯湯式給湯機の構成図である。貯湯式給湯機３５は、タンクユニット３３と、ヒートポンプサイクルを利用するＨＰユニット７と、運転動作指令及び設定値の変更操作を行うためのリモコン４４とを備えている。ＨＰユニット７とタンクユニット３３とは、ＨＰ往き配管１４とＨＰ戻り配管１５と図示しない電気配線とを介して接続されている。タンクユニット３３には、制御部３６が内蔵されている。タンクユニット３３およびＨＰユニット７が備える各種弁類、ポンプ類等の作動は、これらと電気的に接続された制御部３６により制御される。制御部３６とリモコン４４とは、相互通信が可能に接続されている。リモコン４４には、図示を省略するが、貯湯式給湯機３５の状態等の情報を表示する表示部、使用者が操作するスイッチ等の操作部、スピーカ及びマイク等が搭載されている。
【００１１】
ＨＰユニット７は、タンクユニット３３が備える貯湯タンク８から導かれた低温水を加熱するための加熱手段として機能する。ＨＰユニット７は、圧縮機１、水冷媒熱交換器３、膨張弁４、空気熱交換器６を冷媒配管５にて環状に接続し、ヒートポンプサイクルを構成している。水冷媒熱交換器３は、冷媒配管５を流れる冷媒とタンクユニット３３から導かれた低温水との間で熱交換を行うためのものである。
【００１２】
タンクユニット３３には、以下の配管及び各種部品が内蔵されている。貯湯タンク８は、湯水を貯留するためのものである。水道等の水源から供給される給水は、第１給水配管９ａを通じてタンクユニット３３内へ導入される。貯湯タンク８の下部に設けられた水導入口８ａは、第３給水配管９ｃを介して第１給水配管９ａに接続されている。第３給水配管９ｃの途中には減圧弁３１が設けられている。第１給水配管９ａから第３給水配管９ｃへ導入される給水は、減圧弁３１で規定の圧力に調圧された上で貯湯タンク８内に流入する。
【００１３】
貯湯タンク８の下部に設けられた水導出口８ｂには、水導出口配管１０の一端が接続されている。水導出口配管１０の他端は、熱源ポンプ１２の吸込側に接続されている。熱源ポンプ１２の吐出側は、ＨＰ往き配管１４を介してＨＰユニット７の入口側と接続されている。また、タンクユニット３３には、三方弁１８が内蔵されている。三方弁１８は、湯水が流入するａポートと、湯水が流出するｂ、ｃポートとを有する流路切替手段である。三方弁１８のａポートは、ＨＰ戻り配管１５を介してＨＰユニット７の出口側と接続されている。三方弁１８のｂポートは、送湯配管１３を介して貯湯タンク８上部に設けられた温水導入口８ｄと接続されている。三方弁１８のｃポートは、バイパス配管１６を介して貯湯タンク８の中央部から下部の間に設けられた温水導入口８ｃと接続されている。
【００１４】
貯湯タンク８には、ＨＰユニット７を用いて加熱された高温湯がＨＰ戻り配管１５及び送湯配管１３を通じて温水導入口８ｄから流入するとともに、低温水が第３給水配管９ｃを通じて水導入口８ａから流入する。これにより、貯湯タンク８には上下部で温度差が生じるように湯水が貯留される。貯湯タンク８の表面には、複数の貯湯温度センサが高さを変えて取り付けられている。より詳しくは、貯湯タンク８の表面の上部には貯湯温度センサ４２が取り付けられ、貯湯タンク８の表面の下部には貯湯温度センサ４３が取り付けられている。貯湯タンク８内の残湯量は、これら貯湯温度センサ４２，４３で貯湯タンク８内の湯水の温度分布を検出することにより把握される。制御部３６は、検出された残湯量に基づいて、ＨＰユニット７による貯湯タンク８内の湯水の沸上運転の開始、停止などを制御する。
【００１５】
タンクユニット３３には、給湯用熱交換器５２が内蔵されている。給湯用熱交換器５２の２次側入口は、第２給水配管９ｂを介して第１給水配管９ａに接続されている。給湯用熱交換器５２の２次側出口は、給湯配管２１を介して給湯栓３４に接続されている。以下の説明では、水源の給水を第１給水配管９ａ、第２給水配管９ｂ、給湯用熱交換器５２及び給湯配管２１を介して給湯栓３４へと導く管路を給水管路９と称する。また、第２給水配管９ｂの途中には、給水管路９を流れる給湯水の流量である給水側流量Ｆｋを検知するための給湯流量センサ４９と、第２給水配管９ｂを流れる給水の温度である給水温度Ｔｉを検知するため、図の例では第１給水配管９ａに配置された給水温度センサ５３と、がそれぞれ配置されている。
【００１６】
また、給湯用熱交換器５２の１次側入口は、熱源導入配管４６ａを介して、貯湯タンク８の上部に設けられた温水導出口８ｅに接続されている。また、給湯用熱交換器５２の１次側出口は、熱源導出配管４６ｂを介して、貯湯タンク８の下部に設けられた温水導入口８ｆに接続されている。以下の説明では、温水導出口８ｅから導出された貯湯タンク８内の湯水を熱源導入配管４６ａ、給湯用熱交換器５２及び熱源導出配管４６ｂを介して温水導入口８ｆから再び貯湯タンク８内へ戻す管路を給湯熱源管路４６と称することとする。また、熱源導出配管４６ｂの途中には、給湯熱源管路４６の湯水を循環させるための給湯熱源ポンプ４８が配置されている。さらに、熱源導出配管４６ｂの途中には、給湯熱源管路４６を流れる湯水の流量である給湯熱源流量Ｆｌを検知するための給湯熱源流量センサ５０が配置されている。給湯栓３４から出湯された高温湯は給湯端末である蛇口などの混合水栓５１に供給され、低温の水道水と混合された上で使用者に利用される。
【００１７】
次に、本実施の形態に係る貯湯式給湯機の動作について説明する。図２は、本発明の実施の形態１に係る貯湯式給湯機の沸き上げ運転時の回路構成図である。尚、ここでいう沸き上げ運転とは、ＨＰユニット７を利用して沸き上げた湯を貯湯タンク８内に貯える運転のことである。この沸き上げ運転時には、三方弁１８は、ａポートとｂポートとが連通しｃポートが閉状態となるように制御される。これにより、ＨＰ戻り配管１５と送湯配管１３とが連通するとともに、バイパス配管１６側を閉として貯湯タンク８の温水導入口８ｃへの流路が遮断される。
【００１８】
沸き上げ運転は、上記のように三方弁１８が制御された状態で、熱源ポンプ１２とＨＰユニット７の運転を開始することにより実行される。その結果、貯湯タンク８の水導出口８ｂから流出する低温水は、水導出口配管１０、熱源ポンプ１２およびＨＰ往き配管１４を経由してＨＰユニット７に導かれ、水冷媒熱交換器３において加熱されて高温湯となった後、ＨＰ戻り配管１５、三方弁１８および送湯配管１３を経由して、貯湯タンク８の温水導入口８ｄから当該貯湯タンク８内に流入し貯えられる。このような沸き上げ運転が実行されることで、貯湯タンク８の内部では、上層部から高温水が貯えられていき、この高温水層が徐々に厚くなる。
【００１９】
また、本実施の形態に係る貯湯式給湯機では、上述した沸き上げ運転によって貯湯タンク８内に貯留された高温水の熱源を用いて、水源から供給される給水を加熱する給湯運転が行われる。図３は、本発明の実施の形態１に係る貯湯式給湯機の給湯運転時の回路構成図である。給湯運転は、蛇口などが開かれたことを受けて、給湯熱源ポンプ４８の運転を開始することにより実行される。その結果、貯湯タンク８の上部に貯留されている高温湯は、温水導出口８ｅから熱源導入配管４６ａを経由して給湯用熱交換器５２の一次側に導入される。この際、第２給水配管９ｂを流れる低温水は給湯用熱交換器５２の二次側に導入される。導入された低温水は給湯用熱交換器５２において一次側の高温湯との熱交換によって加熱され高温湯となる。高温湯となった後の給水は、給湯配管２１を経由して給湯栓３４へ供給される。このような給湯運転が実行されることで、蛇口などの混合水栓５１から連続して湯が出湯される。なお、以下の説明では、給湯用熱交換器５２から導出された給水の温度を給湯温度と称することとする。
【００２０】
本実施の形態に係る貯湯式給湯機において給湯運転が開始されると、制御部３６は、給湯流量センサ４９により検知される給水側流量Ｆｋ（すなわち給湯用熱交換器５２の二次側流量）に基づいて、給湯用熱交換器５２の一次側流量である熱源側流量Ｆｌの目標流量Ｆｔｇｔを設定する目標値設定手段を実行する。そして、制御部３６は、給湯熱源流量センサ５０により検知される熱源側流量Ｆｌが目標流量Ｆｔｇｔとなるように、給湯熱源ポンプ４８の出力をフィードバック制御するポンプ制御手段を実行する。なお、フィードバック制御では、例えばＰＩＤ（Proportional Integral Derivative）制御によって給湯熱源ポンプ４８の入力電圧Ｖｐを制御する。
【００２１】
本実施の形態の貯湯式給湯機は、目標流量Ｆｔｇｔを設定する構成に特徴を有している。図４は、給水側流量Ｆｋに対する熱源側流量Ｆｌの変化及び給湯温度の変化を示す図である。なお、この図中の点線は、Ｆｌ＝Ｆｋとした場合の熱源側流量Ｆｌ及び給湯温度の変化を、図中の実線は、Ｆｌ＝ｆ（Ｆｋ）とした場合の熱源側流量Ｆｌ及び給湯温度の変化を、それぞれ示している。また、この図では、給水温度Ｔｉ及び貯湯タンク８の上部に貯留されている高温湯の貯湯温度が一定である場合を示している。
【００２２】
目標流量Ｆｔｇｔを給水側流量Ｆｋに設定すると、図中点線に示すように、熱源側流量ＦｌがＦｌ＝Ｆｋに制御される。この場合、給水側流量Ｆｋが多量であるほど給湯温度は低下する。これは、給水側流量Ｆｋが多量になると、給湯用熱交換器５２において熱交換されずに通過してしまう熱量が増えることに起因する。このため、給湯温度は給水側流量Ｆｋが増えるほど低下することとなり、また、反対に給湯用熱交換器５２から貯湯タンク８へ戻される湯水の温度は上昇することとなる。このような場合、安定した給湯温度を実現できないばかりか沸き上げ効率の低下も問題となる。
【００２３】
そこで、本実施の形態の貯湯式給湯機では、Ｆｌ＝ｆ（Ｆｋ）が実現されるように目標流量Ｆｔｇｔを設定することとする。具体的には、図４に実線で示すように、給水側流量Ｆｋが流量閾値より小さい範囲ではＦｌ＜Ｆｋとなり且つ給水側流量Ｆｋが流量閾値以上の範囲ではＦｌ≧Ｆｋとなる関数を用いて、目標流量Ｆｔｇｔを設定することとする。給水側流量Ｆｋの流量閾値は、Ｆｋ＝Ｆｌにて給湯温度が目標温度となる給水側流量Ｆｋの値を使用する。これにより、Ｆｋ＜流量閾値の範囲では給湯温度を低下させ且つＦｋ≧流量閾値の範囲では給湯温度を上昇させることができるので、給水側流量Ｆｋが変化した場合であっても、給湯温度を目標温度に近づけて安定した給湯温度を実現することができる。
【００２４】
次に、上述した本実施の形態の制御の一具体例を説明する。例えば、給水側流量Ｆｋが最大流量２０Ｌ／ｍｉｎである場合においてＦｋ＝Ｆｌで制御すると、給水側流量Ｆｋが２０Ｌ／ｍｉｎより下がるにつれて徐々に給湯温度が上昇する。しかしながら、流量閾値となる流量を２０Ｌ／ｍｉｎとし、給水側流量Ｆｋが２０Ｌ／ｍｉｎ未満ではＦｌ＜Ｆｋとなり、給水側流量Ｆｋが２０Ｌ／ｍｉｎではＦｌ＝Ｆｋとなるように制御すると、Ｆｋ＝Ｆｌで制御した場合と比較してどの流量域でも給湯温度は低下する。このため、給湯温度は給水側流量Ｆｋによらず最大流量時の給湯温度で一定とすることができ、低流量時における高温の給湯を抑制することができる。
【００２５】
以上説明したように、本実施の形態の貯湯式給湯機によれば、給水側流量Ｆｋに変動が生じた場合であっても、給湯温度を一定に維持することができる。また、貯湯タンク８に戻される湯水の温度上昇を抑制することができるので、沸き上げ効率の低下を抑制することが可能となる。
【００２６】
ところで、上述した実施の形態の貯湯式給湯機では、熱源側流量ＦｌのＰＩＤ制御を実行しているが、熱源側流量Ｆｌが目標流量Ｆｔｇｔとなるように給湯熱源ポンプ４８の入力電圧Ｖｐを制御する他のフィードバック制御を用いることとしてもよい。
【００２７】
また、上述した実施の形態の貯湯式給湯機では、関数Ｆｌ＝ｆ（Ｆｋ）を用いて熱源側流量Ｆｌを制御することとしているが、給水側流量Ｆｋが流量閾値より小さい範囲ではＦｌ＜Ｆｋとなり且つ給水側流量Ｆｋが流量閾値以上の範囲ではＦｌ≧Ｆｋとなる関数であればその構成は特に限定されない。但し、給湯温度が目標温度で一定となるような関数にすることがより好ましく、これにより給湯温度の変動を有効に抑制することができる。
【００２８】
また、上述した実施の形態の貯湯式給湯機では、関数Ｆｌ＝ｆ（Ｆｋ）を用いて熱源側流量Ｆｌを制御することとしているが、給湯温度が目標温度で一定となるような熱源側流量Ｆｌと給水側流量Ｆｋとの関係を規定したマップを用いて熱源側流量Ｆｌを制御してもよい。
【００２９】
実施の形態２．
次に、本発明の実施の形態２について説明する。実施の形態２の貯湯式給湯機は、給水温度Ｔｉに応じて熱源側流量Ｆｌの目標流量Ｆｔｇｔを設定する点に特徴を有している。図５は、給水温度Ｔｉに対する熱源側流量Ｆｌの変化及び給湯温度の変化を示す図である。なお、この図中の点線は、Ｆｌ＝Ｆｋとした場合の熱源側流量Ｆｌ及び給湯温度の変化を、図中の実線は、Ｆｌ＝ｇ（Ｔｉ）とした場合の熱源側流量Ｆｌ及び給湯温度の変化を、それぞれ示している。また、この図では、給水側流量Ｆｋ及び貯湯タンク８の上部に貯留されている高温湯の貯湯温度が一定である場合を示している。
【００３０】
目標流量Ｆｔｇｔを給水側流量Ｆｋに設定すると、図中点線に示すように、熱源側流量ＦｌがＦｌ＝Ｆｋに制御される。この場合、給水温度Ｔｉが高温であるほど給湯温度は上昇し、安定した給湯温度を実現できないおそれがある。
【００３１】
そこで、本実施の形態の貯湯式給湯機では、Ｆｌ＝ｇ（Ｔｉ）が実現されるように目標流量Ｆｔｇｔを設定することとする。具体的には、図５に実線で示すように、給水温度Ｔｉが温度閾値以上の範囲ではＦｌ＜Ｆｋとなり且つ給水側流量Ｆｋが温度閾値未満の範囲ではＦｌ≧Ｆｋとなる関数を用いて、目標流量Ｆｔｇｔを設定することとする。給水温度Ｔｉの温度閾値は、Ｆｋ＝Ｆｌにて給湯温度が目標温度となる給水温度Ｔｉの値を使用する。これにより、Ｔｉ＜温度閾値の範囲では給湯温度を上昇させ且つＴｉ≧閾値の範囲では給湯温度を低下させることができるので、給水温度Ｔｉが変化した場合であっても、給湯温度を目標温度に近づけて安定した給湯温度を実現することができる。
【００３２】
次に、上述した本実施の形態の制御の一具体例を説明する。例えば、熱源側流量を給水温度Ｔｉによらず制御した場合、給水温度Ｔｉが上がるにつれて徐々に給湯温度が上昇してしまう。しかしながら、給水温度Ｔｉの温度閾値を１０℃とし、給水温度Ｔｉが１０℃以上ではＦｌ＜Ｆｋとなるように制御すると、Ｆｋ＝Ｆｌで制御した場合と比較して給湯温度は低下する。また、給水温度Ｔｉが１０℃未満ではＦｌ≧Ｆｋとなるように制御するとＦｋ＝Ｆｌで制御した場合と比較して給湯温度は上昇する。このため、給湯温度は給水温度Ｔｉによらず一定とすることができ、高温の給水時に高温の給湯を抑制することができる。
【００３３】
以上説明したように、本実施の形態の貯湯式給湯機によれば、給水温度Ｔｉに変動が生じた場合であっても、給湯温度を一定に維持することができる。また、貯湯タンク８に戻される湯水の流量を抑制することができるので、無駄な中温水の還流による沸き上げ効率の低下を抑制することが可能となる。
【００３４】
ところで、上述した実施の形態の貯湯式給湯機では、関数Ｆｌ＝ｇ（Ｔｉ）を用いて熱源側流量Ｆｌを制御することとしているが、給湯温度が目標温度で一定となるような熱源側流量Ｆｌと給水温度Ｔｉとの関係を規定したマップを用いて熱源側流量Ｆｌを制御してもよい。
【００３５】
また、上述した実施の形態の貯湯式給湯機では、給水温度Ｔｉに応じて熱源側流量Ｆｌの目標流量Ｆｔｇｔを設定することとしたが、給水側流量Ｆｋに応じて熱源側流量Ｆｌの目標流量Ｆｔｇｔを設定する実施の形態１の制御と組み合わせることとしてもよい。この場合、例えば、Ｆｌ＝ｆ（Ｆｋ）×ｇ（Ｔｉ）となる関数を用いて目標流量Ｆｔｇｔを設定することができる。これにより、給水側流量Ｆｋ及び給水温度Ｔｉの双方によらず給湯温度を目標値に制御することが可能となる。
【符号の説明】
【００３６】
１  圧縮機、３  水冷媒熱交換器、４  膨張弁、５  冷媒循環配管、６  空気熱交換器、７  ＨＰユニット（加熱手段）、８  貯湯タンク、８ａ  水導入口、８ｂ  水導出口、８ｃ  温水導入口、８ｄ  温水導入口、８ｅ  温水導出口、８ｆ  温水導入口、９  給水管路、９ａ  第１給水配管、９ｂ  第２給水配管、９ｃ  第３給水配管、１０  水導出口配管、１２  熱源ポンプ、１３  送湯配管、１４  ＨＰ往き配管、１５  ＨＰ戻り配管、１６  バイパス配管、２１  給湯配管、３１  減圧弁、３３  タンクユニット、３４  給湯栓、３５  貯湯式給湯機、３６  制御部、４２，４３  貯湯温度センサ、４４  リモコン装置、４６  給湯熱源管路、４６ａ  熱源導入配管、４６ｂ  熱源導出配管、４８  給湯熱源ポンプ、４９  給湯流量センサ、５０  給湯熱源流量センサ、５１  混合水栓、５２  給湯用熱交換器、５３  給水温度センサ
【図１】
2015227757.tif 000003
【図２】
2015227757.tif 000004
【図３】
2015227757.tif 000005
【図４】
2015227757.tif 000006
【図５】
2015227757.tif 000007